(57)【要約】【課題】本発明は、繊維素材を使用して筒編状に形成した加工糸からループの交絡を引き出す解編により集束させて、ストレッチ性と嵩高性を両立させたソフトで風合いに優れた繊維が得られる交絡型嵩高集束糸とその製造方法を提供するものである。【解決手段】筒編機で、ループ１５を組合わせた筒編状の加工糸１７を形成し、これを解編装置２３の横Ｕ形のフック３０で摩擦を加えながら異なる配列位置のループ１５を複数本の交絡を保持させながら同時に引き出して解編して、これを集束するものである。【選択図】図１２
2018165413.tif 000002
【特許請求の範囲】
【請求項１】
複数のループを組合わせて筒編状に形成した加工糸の、円周方向に異なる配列位置のループの交絡を引き出して集束させたことを特徴とする交絡型嵩高集束糸。
【請求項２】
加工糸を形成する繊維素材が、スパン糸、フィラメント糸、仮撚り加工糸、解舒加工糸、押し込み加工糸の何れかで形成したことを特徴とする請求項１記載の交絡型嵩高集束糸。
【請求項３】
加工糸を形成する繊維素材が絹または綿の天然繊維、若しくは合成繊維で形成されていることを特徴とする請求項１または２記載の交絡型嵩高集束糸。
【請求項４】
筒編機または丸編機若しくは袋編機で、ループを組合わせた筒編状に加工糸を形成し、これに摩擦を加えながら異なる配列位置のループを複数本の交絡を保持させながら同時に引き出して解編して、これを集束することを特徴とする交絡型嵩高集束糸の製造方法。
【請求項５】
ループを組合わせた筒編状の加工糸の直径が５〜２０ｍｍであることを特徴とする請求項４記載の交絡型嵩高集束糸の製造方法。
【請求項６】
筒編状の加工糸が、円筒体の外周に、複数本のべら針を円周上に配置して上下動自在に支持するべら針駆動部を設けた中空スピンドルを、ベース部に回転自在に取付け、中空スピンドルを回転させながら複数本のべら針を上下動させて給糸した糸を、複数のループを組合わせて筒編状に編んで形成することを特徴とする請求項４または５記載の交絡型嵩高集束糸の製造方法。
【発明の詳細な説明】
【技術分野】
【０００１】
本発明は、筒編状に編成した加工糸を解編（デニット）してストレッチ性、嵩高性、ソフト性を付与した交絡型嵩高集束糸およびその製造方法に関するものである。
【背景技術】
【０００２】
絹糸に伸縮性、嵩高性を付与する方法としては、例えば生糸を強撚加工し、湿式延伸処理、精練染色、熱処理後に解撚する手段で、嵩高性を付与する方法（特許文献１）が開示されている。しかしながら、この方法では解撚処理によりある程度の嵩高性は期待できるものの、強撚後に破断伸度付近まで延伸すると、強伸度の低下、表面の擦れ、毛羽の発生などの問題があった。
【０００３】
また別の方法として絹糸とセルロース系繊維を強撚加工し、熱処理後に酵素処理でセルロース系繊維のみを除去する方法で嵩高性を発現させる方法（特許文献２）がある。
【０００４】
しかしながらこの方法は、撚糸部分の微細な空隙により、緩やかなソフト感が期待できるが、セリシン除去後の絹糸を強撚加工すると、強度不足や硬化、糸切れ、擦れ、毛羽立が予想されるため、十分な強伸度および嵩高性を得ることが困難であった。また上記各先行技術は、撚糸加工による撚り戻しや、微細な空隙による嵩高性を得ているが、編織物にした場合に風合いが硬くなりソフト感がなくなる欠点があった。
【０００５】
また従来のニットデニット法による解編方法は、筒編状の加工糸１を編成し、後処理工程を経たのち、図２０に示すように逆工程で端末の一本を引き抜いて解編（デニット）している。その際、賦形処理されたクリンプが解編時のテンションで図２１に示すように波形に伸び切り、伸縮性や嵩高性が損なわれ素材本来のソフト感や風合いが十分発揮されていないという問題があった。
【先行技術文献】
【特許文献】
【０００６】
【特許文献１】特開昭５９−１５７３３７
【特許文献２】特開平７−１７３７３２
【発明の概要】
【発明が解決しようとする課題】
【０００７】
本発明は、繊維素材を使用して筒編状に形成した加工糸からループの交絡を引き出す解編により集束させて、ストレッチ性と嵩高性を両立させたソフトで風合いに優れた繊維が得られる交絡型嵩高集束糸とその製造方法を提供するものである。
【課題を解決するための手段】
【０００８】
本発明の請求項１記載の交絡型嵩高集束糸は、複数のループを組合わせて筒編状に形成した加工糸の、円周方向に異なる配列位置のループの交絡を引き出して集束させたことを特徴とするものである。
【０００９】
本発明の請求項２記載の交絡型嵩高集束糸は、請求項１において、加工糸を形成する繊維素材がスパン糸、フィラメント糸、仮撚り加工糸、解舒加工糸、押し込み加工糸の何れかで形成したことを特徴とするものである。
【００１０】
本発明の請求項３記載の交絡型嵩高集束糸は、請求項１または２において、加工糸を形成する繊維素材が絹または綿の天然繊維、若しくは合成繊維で形成されていることを特徴とするものである。
【００１１】
本発明の請求項４記載の交絡型嵩高集束糸の製造方法は、筒編機または丸編機若しくは袋編機で、ループを組合わせた筒編状に加工糸を形成し、これに摩擦を加えながら異なる配列位置のループを複数本の交絡を保持させながら同時に引き出して解編して、これを集束することを特徴とするものである。
【００１２】
本発明の請求項５記載の交絡型嵩高集束糸の製造方法は、請求項４において、ループを組合わせた筒編状の加工糸の直径が５〜２０ｍｍであることを特徴とするものである。
【００１３】
本発明の請求項６記載の交絡型嵩高集束糸の製造方法は、請求項４または５において、筒編状の加工糸が、円筒体の外周に、複数本のべら針を円周上に配置して上下動自在に支持するべら針駆動部を設けた中空スピンドルを、ベース部に回転自在に取付け、中空スピンドルを回転させながら複数本のべら針を上下動させて給糸した糸を、複数のループを組合わせて筒編状に編んで形成することを特徴とするものである。
【発明の効果】
【００１４】
本発明に係る請求項１記載の交絡型嵩高集束糸によれば、筒編状の加工糸を、連続するループを同時に引き出すことによってストレッチ性と嵩高性を両立させたソフトで風合いに優れた繊維が得られる交絡型嵩高集束糸が得られる。この交絡型嵩高集束糸は真綿布団の中綿や、キルティングの中綿として軽くてソフトで嵩高の素材として広く利用できる。
【００１５】
また請求項２記載の交絡型嵩高集束糸によれば、加工糸を形成する繊維素材がスパン糸、フィラメント糸、仮撚り加工糸、解舒加工糸、押し込み加工糸などを使用することができる。
【００１６】
また請求項３記載の交絡型嵩高集束糸の製造方法によれば、加工糸を形成する繊維素材が絹または綿の天然繊維、若しくは合成繊維などを使用することができる。
【００１７】
請求項４記載の交絡型嵩高集束糸によれば、筒編機または丸編機若しくは袋編機で、ループを組合わせた筒編状に加工糸を形成し、これに摩擦を加えながら異なる配列位置のループを複数本の交絡を保持させながら同時に引き出して解編して、これを集束することによりストレッチ性と嵩高性を両立させたソフトで風合いに優れた交絡型嵩高集束糸が得られる。
【００１８】
また請求項５記載の交絡型嵩高集束糸の製造方法によれば、ループを組合わせた筒編状の加工糸の直径が５〜２０ｍｍに規定することにより、ストレッチ性と嵩高性を両立させたソフトで風合いに優れた交絡型嵩高集束糸が得られる。
【００１９】
また請求項６記載の交絡型嵩高集束糸の製造方法によれば、円筒体の外周に、複数本のべら針を円周上に配置して上下動自在に支持するべら針駆動部を設けた中空スピンドルを、ベース部に回転自在に取付け、中空スピンドルを回転させながら複数本のべら針を上下動させて給糸した糸を、複数のループを組合わせて筒編状に編むことが容易である。
【図面の簡単な説明】
【００２０】
【図１】本発明の実施の一形態によるべら針駆動部を設けた中空スピンドルをベース部に取付けた加工機の斜視図である。
【図２】図１のべら針を示す正面図である。
【図３】べら針の動作を示す加工機の斜視図である。
【図４】べら針の動作を示す加工機の斜視図である。
【図５】べら針の動作を示す加工機の斜視図である。
【図６】べら針の動作を示す加工機の斜視図である。
【図７】（Ａ）〜（Ｄ）は、べら針の動作を示す説明図である。
【図８】筒編状の加工糸の側面図である。
【図９】本発明の他の実施の形態によるべら針を４本取付けた加工機を示す斜視図である。
【図１０】筒編状の加工糸を示す平面図である。
【図１１】本発明の交絡型嵩高集束糸と筒編状の加工糸を示す写真である。
【図１２】本発明の実施の一形態による解編装置を示す平面図である。
【図１３】図１２の解編装置の作用を示す説明図である。
【図１４】筒編状の加工糸の平面図である。
【図１５】図１４の筒編状の加工糸を解編した交絡型嵩高集束糸の側面図である。
【図１６】筒編状の加工糸の平面図である。
【図１７】図１６の筒編状を解編した交絡型嵩高集束糸の側面図である。
【図１８】筒編状の加工糸の平面図である。
【図１９】図１８の筒編状の加工糸を解編した交絡型嵩高集束糸の側面図である。
【図２０】筒編状の加工糸の平面図である。
【図２１】図２０の筒編状の加工糸の端末を解編して波形になった状態を示す側面図である。
【発明を実施するための最良の形態】
【００２１】
以下本発明の実施の一形態を図１ないし図１５を参照して詳細に説明する。先ず本発明の筒編状の加工糸を製造する方法について説明する。図１は本発明の加工機を示すもので、１は加工機本体部、２はこの加工機本体部１の中心に回転自在に設けられたベース部、３はこの中心にベース部２と一体に回転する中空スピンドルである。この中空スピンドル３は円筒体５の外周に複数本のガイド溝４が縦方向に形成され、ここにべら針６ａ、６ｂが上下動自在に支持されるべら針駆動部１１が設けられ、例えば対向する２個のガイド溝４にべら針６ａ、６ｂが上下動自在に取付けられている。
【００２２】
このべら針６ａ、６ｂは図２に示すようにステム７の上部に勾形のフック８が形成され、この下部に軸９で支持されたべら１０が上下に回動自在に取付けられたものである。このべら針６ａ、６ｂはガイド溝４内をカム機構により順次上昇、下降しながら回転するようになっている。
【００２３】
次に上記構成の加工機で絹糸１３を筒編状の加工糸１７に製造する方法を説明する。先ず図３に示すように、一方のべら針６ａのフック８に絹糸１３を引っ掛けてから、モータを駆動させて、ベース部２と一体の中空スピンドル３を回転させる。中空スピンドル３は回転しながらその外周に形成したガイド溝４内に取付けたべら針６ａ、６ｂがべら針駆動部１１により交互に上下動する。
【００２４】
この加工途中の状態を更に詳細に説明すると、図７（Ａ）に示すように、一方のべら針６ａは、高く上がった位置で、給糸ボビンから繰り出された絹糸１３がステム７の先端フック８に引っ掛けられて下降して行く。
【００２５】
更に中空スピンドル３が図４に示すように回転すると、これに伴ってべら針６ａも回転しながら下降していくが、この時、既に先の加工工程で編まれた既成のループ１５ａがべら１０の下のステム７に形成されているので、この内側をべら針６ａが下降していく。この過程でループ１５ａに接触して図７（Ｂ）に示すようにべら１０が上方に回動してフック８が閉じられ、絹糸１３ｃは新たにループ１５ｂが形成された状態で下降する。
【００２６】
更に中空スピンドル３が図５に示すように回転すると、これに伴ってべら針６ａも回転しながら最も低い位置まで下降し、図７（Ｃ）に示すように既成の編目ループ１５ａが先端のフック８から抜けて中空スピンドル３側へ引き込まれる。この時、べら針６ａのフック８にはループ１５ｂが形成されている。
【００２７】
更に中空スピンドル３が図６に示すように回転すると、これに伴ってべら針６ａも回転しながら今度は上昇を開始する。この時、図７（Ｄ）に示すようにべら針６ａが、新たに形成された編目ループ１５ｂを通過する時に、これに接触してべら１０は下方に回動して開かれる。以下図７（Ａ）の状態に戻って同様な動作を繰り返す。またべら針６ａと対向して配置された他方のべら針６ｂは、べら針６ａと逆の上下動を繰り返し、図８に示すように形成された筒編状の加工糸１７は図示しない巻取りボビンに巻き取られていく。
【００２８】
図９は本発明の異なる他の実施の形態を示すもので、ガイド溝４に４本のべら針６ａ〜６ｄを取付けて、筒編状の加工糸１７を連続的に形成する加工機本体部１である。
【００２９】
このように８個のべら針を用いた加工機で連続的に筒編状に編成した加工糸１７は図１０に示すように８個のループ１５が交絡点１２を介して円周状に形成され筒編状となる。なおこの平面図は図１１に示すように、８個のべら針を用いた加工機で編成した場合、８個のループ１５が交絡点１２を介して円周状に形成され筒編状となる。またこの筒編状加工糸１７を束ねた状態は図１１の右側の写真の状態となる。
【００３０】
この場合、筒編状加工糸１７の直径は５〜２０ｍｍの範囲が望ましい。直径が５ｍｍ未満では組紐のように硬く編成され、次工程の解編工程で解編が十分に行なえず、また直径が２０ｍｍを越えると隣接するループ１５の間隔が広く、解編工程でループ１５が消滅して交絡が保持できなくなる問題がある。
【００３１】
次に解編工程について説明する。図１２に示すように筒編状の加工糸１７を給糸ボビン２２に巻き付けておき、この前方にＶ形状の解編装置２３が設けられ、更にこの前方に発光側と受光側のレーザー測定器２５が設けられている。このレーザー測定器２５では解編された交絡型嵩高集束糸２６の太さを検知し、設定した太さを越えると、巻取りボビン２７が停止するようになっている。更にレーザー測定器２５の前方に巻取りボビン２７が設けられている。２８はモニターである。
【００３２】
前記レーザー測定器２５では解編された交絡型嵩高集束糸２６の太さを検知し、設定した太さを越えると、巻取りボビン２７が停止するようになっている。前記解編装置２３は左右の支持片２８Ａ、２８ＢがＶ形に配置され左右に広がるように弾性的に支持され、その対向する側面に横Ｕ形のフック３０が交互に突設されている。
【００３３】
次に図１０に示すように筒編状の加工糸１７の端末の１本の絹糸１３と円周方向に異なる配列位置の１個または複数個のループ１５の交絡を引き出して、図１２に示すようにＶ形状の解編装置２３の対向する横Ｕ形のフック３０に交互に通し、テンションを加えながら摩擦させて解編し、巻取りボビン２７で巻き取る。この時、予めモニター２８で交絡型嵩高集束糸２６の太さを設定しておき、ループ１５の交絡が複数固まって太くなり、設定した太さを越えると巻取りボビン２７が停止するようになっている。
【００３４】
Ｖ形状の解編装置２３のＵ形のフック３０を筒編状の加工糸１７が、交互に通過する時、図１３に示すようにループ１５が形成された加工糸１７が片側ずつ交互にしごかれてループ１５の交絡点１２が残った状態で解編される。
【００３５】
従って図１４に示すように同一円周上に８個のループ１５を形成した加工糸１７の場合、端末の１本の絹糸１３と次に解れる１個目のループ１５（○で囲った部分）を同時に引き出すと、計３本の交絡型嵩高集束糸（デニット糸）２６が形成され、図１５に示すように嵩高の状態になる。また図１６に示すように端末の１本の絹糸１３と次に解れる１個目と２個目のループ１５を、交絡点１２を保持したまま同時に引き出すと、計５本の交絡型嵩高集束糸２６が図１７に示すように嵩高の状態になる。
【００３６】
更に図１８に示すように端末の１本の絹糸１３と次に解れる１個目と２個目、３個目のループ１５を同時に引き出すと、図１９に示すように計７本の嵩高の交絡型嵩高集束糸２６が形成できる。このように、端末の１本の絹糸１３と次に解れる連続するループ１５を、同時に何個引き出すかによって、形成される交絡型嵩高集束糸２６の太さ（本数）が決定される。このように解編された交絡型嵩高集束糸２６は図１１の左側の写真に示すようにソフトで嵩高の交絡型嵩高集束糸２６が得られる。図１１の右側の写真に示す解編前の筒編状の加工糸１７とは明らかに嵩高でソフトな状態になっていることが確認できた。
【００３７】
従って本発明の方法により筒編状の加工糸１７を、その端末の１本の絹糸１３と次に解れる連続するループ１５を同時に何個引き出すかによってストレッチ性と嵩高性を両立させたソフトで風合いに優れた交絡型嵩高集束糸２６が得られる。この交絡型嵩高集束糸２６は真綿布団の中綿や、キルティングの中綿として軽くてソフトで嵩高の素材として広く利用でき、羽毛を用いたものに比べて１本の長繊維なので羽毛のように飛び出しや、その封じ込めの対策が不要となる。
【００３８】
なお本発明に用いる繊維素材としては絹の他、木綿などの天然繊維や合成繊維を用いることができる。また繊維素材はスパン糸、フィラメント糸、仮撚り加工糸、解舒加工糸、押し込み加工糸の何れを用いても良い。
【００３９】
なお上記説明では図１ないし図７に示す筒編機を用いて筒編状の加工糸１７を編成する場合について示したが、他の構造の筒編機や丸編機、袋編機で編成しても良い。
【００４０】
また筒編状の加工糸１７を解編させる方法として、テンションを加えながら横Ｕ形のフック３０を交互に摩擦させながら通過させる場合について説明したが、発泡素材やシリコンゴムなどに溝を形成してここを通過させて、その時の摩擦により解編させても良い。
【符号の説明】
【００４１】
１    加工機本体部                                          
２    ベース部                                              
３    中空スピンドル                                        
４    ガイド溝                                              
５    円筒体                                                
６ａ、６ｂ  べら針                                          
７    ステム                                                
８    フック                                                
９    軸                                                    
１０  べら                                                  
１１  べら針駆動部                                          
１２  交絡点                                                
１３  絹糸                                                  
１５ａ、１５ｂ  ループ                                      
１７  筒編状の加工糸                                        
２０  交絡点                                                
２２  給糸ボビン                                            
２３  解編装置                                              
２５  レーザー測定器                                        
２６  交絡型嵩高集束糸                                      
２７  巻取りボビン    
２８  モニター  
２８Ａ、２８Ｂ  左右の支持片
３０  横Ｕ形のフック
【図１】
2018165413.tif 000003
【図２】
2018165413.tif 000004
【図３】
2018165413.tif 000005
【図４】
2018165413.tif 000006
【図５】
2018165413.tif 000007
【図６】
2018165413.tif 000008
【図７】
2018165413.tif 000009
【図８】
2018165413.tif 000010
【図９】
2018165413.tif 000011
【図１０】
2018165413.tif 000012
【図１１】
2018165413.tif 000013
【図１２】
2018165413.tif 000014
【図１３】
2018165413.tif 000015
【図１４】
2018165413.tif 000016
【図１５】
2018165413.tif 000017
【図１６】
2018165413.tif 000018
【図１７】
2018165413.tif 000019
【図１８】
2018165413.tif 000020
【図１９】
2018165413.tif 000021
【図２０】
2018165413.tif 000022
【図２１】
2018165413.tif 000023